(57)【要約】【課題】通信時に消費電力を削減することができる携帯端末装置を提供すること。【解決手段】携帯電話装置１は、基地局等から受信する受信データと、基地局等に送信する送信データとを記憶する記憶部５０と、受信スロットにおいて通信部３０により基地局等から所定周期で受信される受信データを受信用レジスタ６２に記憶させ、送信スロットにおいて通信部３０を介して送信用レジスタ６１に記憶されている送信データを基地局等に所定周期で送信するデータ処理部６３を有する第１制御部６０と、処理が遅延しない第１モードよりも消費する電力が少なく、処理に対して所定周期の半分以下の遅延時間が発生する第２モードを有し、記憶部５０に記憶されている送信データを送信用レジスタ６１に記憶させる処理を第２モードで実行する送信処理部７２を有する第２制御部７０と、を備える。【選択図】図２
2012095128.tif 000002
【特許請求の範囲】
【請求項１】
時分割多重方式により通信を行う携帯端末装置であって、
アンテナを介して外部機器とデータを送受信する通信部と、
前記外部機器に送信する送信データを記憶する記憶部と、
送信データを一時的に記憶するレジスタと、
前記通信部を介して前記レジスタに記憶されている送信データを１つの送信タイムスロットによって前記外部機器に所定周期で送信するデータ処理部と、
処理が遅延しない第１モードよりも消費する電力が少なく、処理に対して前記所定周期の半分以下の遅延時間が発生する第２モードを有し、前記記憶部に記憶されている前記送信データを前記レジスタに記憶させる処理である送信側処理を前記第２モードで実行する送信処理部と、を備える携帯端末装置。
【請求項２】
通信と並行して実行可能なアプリケーションを制御するアプリケーション処理部を更に備え、
前記送信処理部は、前記アプリケーションが動作していない場合には、前記通信部により前記レジスタに記憶されている前記送信データが送信されたことに応じて、前記送信側処理を前記第２モードで実行する請求項１に記載の携帯端末装置。
【請求項３】
通信と並行して実行可能なアプリケーションを制御するアプリケーション処理部を更に備え、
前記記憶部は、前記外部機器から受信する受信データを記憶し、
前記送信処理部は、前記アプリケーションが動作していない場合には、前記データ処理部より前記レジスタに前記受信データが記憶されたことに応じて、前記送信側処理を前記第２モードで実行する請求項１に記載の携帯端末装置。
【請求項４】
前記送信処理部は、前記アプリケーションが動作していない場合に、前記通信部により次回に送信される送信データが有意なデータであるときには、前記通信部により前記レジスタに記憶されている前記送信データが送信されたことに応じて、前記送信側処理を前記第２モードで実行する請求項３に記載の携帯端末装置。
【請求項５】
前記送信処理部は、前記通信部により送信された送信データと、前記通信部により次回に送信される送信データとがアイドルデータである場合に、前記送信側処理を実行しない請求項２から４のいずれか１項に記載の携帯端末装置。
【請求項６】
前記送信処理部は、前記アプリケーションが動作している場合に、前記送信側処理を前記第１モードで実行する請求項２から４のいずれか１項に記載の携帯端末装置。
【請求項７】
前記記憶部は、前記外部機器から受信する受信データを記憶し、
前記レジスタに記憶されている前記受信データを前記記憶部に記憶させ、前記通信部により次回受信される受信データを受信するための準備を行う処理である受信側処理を前記第２モードで実行する受信処理部を更に備え、
前記データ処理部は、１つの受信タイムスロットにおいて前記通信部により前記外部機器から所定周期で受信される前記受信データを前記レジスタに記憶させ、
前記受信処理部は、前記データ処理部により前記レジスタに前記受信データが記憶されたことに応じて、前記受信側処理を前記第２モードで実行する請求項２から６のいずれか１項に記載の携帯端末装置。
【請求項８】
前記レジスタは、前記送信データを記憶する送信用レジスタと、前記受信データを記憶し、前記送信用レジスタと並列して読み書きが可能な受信用レジスタとから構成され、
前記データ処理部は、前記受信データを前記受信用レジスタに記憶し、前記送信データを前記送信用レジスタに記憶する請求項７に記載の携帯端末装置。
【発明の詳細な説明】
【技術分野】
【０００１】
本発明は、時分割多重方式により通信を行う携帯端末装置に関する。
【背景技術】
【０００２】
従来、携帯端末装置において、ＣＰＵの稼働率を低減し、携帯端末装置の消費電力を削減することが提案されている。
【０００３】
例えば、特許文献１では、ＴＤＭＡ（Ｔｉｍｅ  Ｄｉｖｉｓｉｏｎ  Ｍｕｌｔｉｐｌｅ  Ａｃｃｅｓｓ：時分割多重接続）を用いた携帯端末装置において、待受時に受信し、情報本体を含む間欠受信信号について、信号構成情報に基づいて、情報本体に情報が存在するか否かを判定し、情報本体に情報が存在する場合にのみＣＰＵを起動させることにより、携帯端末装置の消費電力を削減する方法が提案されている。
【先行技術文献】
【特許文献】
【０００４】
【特許文献１】特開２００５−１５９９４６号公報
【発明の概要】
【発明が解決しようとする課題】
【０００５】
しかしながら、特許文献１では、待受時において携帯端末装置の消費電力を削減する方法が示されているに過ぎず、通話や電子メールの送受信やＷｅｂサーバ閲覧等を行っている状態である非待受時において携帯端末装置の消費電力を削減する方法について、示されていない。
【０００６】
また、ＣＰＵは、処理の遅延を防止するために、処理が即時実行可能な状態とされることが多い。しかしながら、ＣＰＵが処理を即時実行可能な状態である場合、ＣＰＵは、処理の発生状況について監視する必要があるので、処理を行っていなくとも電力を消費してしまう。よって、特許文献１に示されるように、通信時に情報本体に情報が存在するか否かを判定し、情報本体に情報が存在する場合にのみＣＰＵを起動させるようにしても、特許文献１に示される方法では、消費電力を効率的に削減することができない。
【０００７】
本発明は、通信時に消費電力を削減することができる携帯端末装置を提供することを目的とする。
【課題を解決するための手段】
【０００８】
本発明に係る携帯端末装置は、時分割多重方式により通信を行う携帯端末装置であって、アンテナを介して外部機器とデータを送受信する通信部と、前記外部機器に送信する送信データを記憶する記憶部と、送信データを一時的に記憶するレジスタと、前記通信部を介して前記レジスタに記憶されている送信データを１つの送信タイムスロットによって前記外部機器に所定周期で送信するデータ処理部と、処理が遅延しない第１モードよりも消費する電力が少なく、処理に対して前記所定周期の半分以下の遅延時間が発生する第２モードを有し、前記記憶部に記憶されている前記送信データを前記レジスタに記憶させる処理である送信側処理を前記第２モードで実行する送信処理部と、を備える。
【０００９】
また、上記携帯端末装置は、通信と並行して実行可能なアプリケーションを制御するアプリケーション処理部を更に備え、前記送信処理部は、前記アプリケーションが動作していない場合には、前記通信部により前記レジスタに記憶されている前記送信データが送信されたことに応じて、前記送信側処理を前記第２モードで実行することが好ましい。
【００１０】
また、上記携帯端末装置は、通信と並行して実行可能なアプリケーションを制御するアプリケーション処理部を更に備え、前記記憶部は、前記外部機器から受信する受信データを記憶し、前記送信処理部は、前記アプリケーションが動作していない場合には、前記データ処理部より前記レジスタに前記受信データが記憶されたことに応じて、前記送信側処理を前記第２モードで実行することが好ましい。
【００１１】
また、上記携帯端末装置では、前記送信処理部は、前記アプリケーションが動作していない場合に、前記通信部により次回に送信される送信データが有意なデータであるときには、前記通信部により前記レジスタに記憶されている前記送信データが送信されたことに応じて、前記送信側処理を前記第２モードで実行することが好ましい。
【００１２】
また、上記携帯端末装置では、前記送信処理部は、前記通信部により送信された送信データと、前記通信部により次回に送信される送信データとがアイドルデータである場合に、前記送信側処理を実行しないことが好ましい。
【００１３】
また、上記携帯端末装置では、前記送信処理部は、前記アプリケーションが動作している場合に、前記送信側処理を前記第１モードで実行することが好ましい。
【００１４】
また、上記携帯端末装置では、前記記憶部は、前記外部機器から受信する受信データを記憶し、前記レジスタに記憶されている前記受信データを前記記憶部に記憶させ、前記通信部により次回受信される受信データを受信するための準備を行う処理である受信側処理を前記第２モードで実行する受信処理部を更に備え、前記データ処理部は、１つの受信タイムスロットにおいて前記通信部により前記外部機器から所定周期で受信される前記受信データを前記レジスタに記憶させ、前記受信処理部は、前記データ処理部により前記レジスタに前記受信データが記憶されたことに応じて、前記受信側処理を前記第２モードで実行することが好ましい。
【００１５】
また、上記携帯端末装置では、前記レジスタは、前記送信データを記憶する送信用レジスタと、前記受信データを記憶し、前記送信用レジスタと並列して読み書きが可能な受信用レジスタとから構成され、前記データ処理部は、前記受信データを前記受信用レジスタに記憶し、前記送信データを前記送信用レジスタに記憶することが好ましい。
【発明の効果】
【００１６】
本発明によれば、通信時に消費電力を削減することができる。
【図面の簡単な説明】
【００１７】
【図１】本実施形態に係る携帯端末装置としての携帯電話装置の外観斜視図である。
【図２】本実施形態に係る携帯電話装置の機能を示す機能ブロック図である。
【図３】本実施形態の携帯電話装置と基地局との間におけるＴＤＭＡ−ＴＤＤ方式の通信を示す模式図である。
【図４】本実施形態に係る携帯電話装置において、第２モードで送信側処理及び受信側処理を実行する場合の例（その１）を示す模式図である。
【図５】本実施形態に係る携帯電話装置において、第２モードで送信側処理及び受信側処理を実行する場合の例（その２）を示す模式図である。
【図６】本実施形態に係る携帯電話装置において、第２モードで送信側処理及び受信側処理を実行する場合の例（その３）を示す模式図である。
【発明を実施するための形態】
【００１８】
以下、本発明の実施の形態について説明する。なお、本実施形態では、携帯端末装置の一例として、携帯電話装置について説明する。なお、本発明の携帯通信端末は、これに限られず、例えば、携帯電話機やＰＤＡ（Ｐｅｒｓｏｎａｌ  Ｄｉｇｉｔａｌ  Ａｓｓｉｓｔａｎｔ）の他、通信機能を備えたナビゲーション装置やパーソナルコンピュータ、更に、これらに接続される通信モジュール等、様々な携帯通信端末に適用可能である。
【００１９】
図１は、本実施形態に係る携帯電話装置１の外観斜視図である。本実施形態に係る携帯電話装置１は、時分割多重接続（ＴＤＭＡ：Ｔｉｍｅ  Ｄｉｖｉｓｉｏｎ  Ｍｕｌｔｉｐｌｅ  Ａｃｃｅｓｓ）方式及び時分割複信（ＴＤＤ：Ｔｉｍｅ  Ｄｉｖｉｓｉｏｎ  Ｄｕｐｌｅｘ）方式を多元接続技術として用いて基地局等の外部機器と通信を行うものである。なお、図１は、いわゆる折り畳み型の携帯電話装置の形態を示しているが、本発明に係る携帯電話装置の形態としては、特にこれに限られない。例えば、両筐体を重ね合わせた状態から一方の筐体を一方向にスライドさせるようにした回転式（ターンタイプ）や、操作部と表示部とが１つの筐体に配置され、連結部を有さない形式（ストレートタイプ）でもよい。
【００２０】
携帯電話装置１は、操作部側筐体部２と、表示部側筐体部３とを備えて構成される。
操作部側筐体部２は、表面部１０に、操作部１１と、携帯電話装置１の使用者が通話時に発した音声が入力されるマイク１２とを備えて構成される。操作部１１は、各種設定や電話機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２とを備えて構成されている。
【００２１】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２２】
図２は、本実施形態に係る携帯電話装置１の機能を示す機能ブロック図である。
携帯電話装置１は、図２に示すように、操作部１１と、マイク１２と、通信部３０と、ＬＣＤ制御部４１と、音声処理部４２と、記憶部５０と、第１制御部６０と、第２制御部７０とを操作部側筐体部２に備える。また、携帯電話装置１は、ＬＣＤ表示部２１と、スピーカ２２と、ＬＣＤドライバ２３とを表示部側筐体部３に備える。
【００２３】
通信部３０は、基地局（図示省略）等の外部機器と信号の送受信を行う。この通信部３０は、アンテナとしてのメインアンテナ３１と、ＲＦ回路部３２とを備える。
【００２４】
メインアンテナ３１は、基地局等の外部機器と、所定の変調方式で変調された高周波信号の送受信を行う。
ＲＦ回路部３２は、メインアンテナ３１により送受信される高周波信号を処理する。具体的には、ＲＦ回路部３２は、メインアンテナ３１によって受信した信号を所定の復調方式で復調し、処理後の信号を第１制御部６０に供給する。また、ＲＦ回路部３２は、第１制御部６０から供給された信号を所定の変調方式で変調し、メインアンテナ３１を介して基地局等の外部機器に送信する。
【００２５】
本実施形態において、通信部３０は、ＴＤＭＡ−ＴＤＤ方式により基地局等と通信を行う。図３は、本実施形態の携帯電話装置１と基地局Ａとの間におけるＴＤＭＡ−ＴＤＤ方式の通信を示す模式図である。
【００２６】
図３に示すように、携帯電話装置１と基地局Ａとの通信において、１周波数帯域に対する多重化数（チャネル）は４つである。また、１スロットのスロット長は、０．６２５ｍｓｅｃである。ここで、１スロットとは、１周波数帯域の時分割による最小単位である。各スロットに対応する「Ｃ１」、「Ｃ２」、「Ｃ３」及び「Ｃ４」は、各スロットに割り当てられたチャネルである。また、図３に示されるチャネルＣ２のスロットに示されているＴ１、Ｔ２、・・・ＴＮは、後述の送信用レジスタ６１に記憶されている送信データであり、Ｒ１、Ｒ２、・・・ＲＮは、後述の受信用レジスタ６２に記憶されている受信データである。
【００２７】
また、１フレームは、８つのスロットから構成され、１フレームのフレーム長は、５ｍｓｅｃである。１フレームの前半部分の４スロットは、送信タイムスロット（以下、送信タイムスロットを送信スロットという）として使用され、所定周期（２．５ｍｓｅｃ）での携帯電話装置１から基地局Ａへの通信に使用される。また、１フレームの後半部分の４スロットは、受信タイムスロット（以下、受信タイムスロットを受信スロットという）として使用され、所定周期（２．５ｍｓｅｃ）での基地局Ａから携帯電話装置１への通信に使用される。また、１マルチフレームは、２０のフレームから構成され、１マルチフレームのマルチフレーム長は、１００ｍｓｅｃである。なお、携帯電話装置１及び基地局Ａは、通信においてフレーム単位で同期を行う。
【００２８】
図２に再び話を戻す。ＬＣＤ制御部４１は、第２制御部７０の制御にしたがって、所定の画像処理を行い、処理後の画像データをＬＣＤドライバ２３に出力する。ＬＣＤドライバ２３は、フレームメモリを備えており、ＬＣＤ制御部４１から供給された画像データをフレームメモリに蓄える。そして、ＬＣＤドライバ２３は、フレームメモリに蓄えられた画像データを所定のタイミングでＬＣＤ表示部２１又はサブＬＣＤ表示部（図示省略）に出力する。
【００２９】
音声処理部４２は、第２制御部７０の制御にしたがって、第１制御部６０から供給された信号に対して所定の音声処理を行い、処理後の信号をスピーカ２２に出力する。スピーカ２２は、音声処理部４２から供給された信号を外部に出力する。
【００３０】
記憶部５０は、例えば、ワーキングメモリを含み、第２制御部７０による演算処理に利用される。また、記憶部５０は、基地局Ａに送信する送信データと、基地局Ａから受信した受信データとを記憶するとともに、本実施形態に係るアプリケーションや各種プログラム等を記憶する。なお、記憶部５０は、着脱可能な外部メモリを兼ねていてもよい。
【００３１】
第１制御部６０は、中央演算装置（ＣＰＵ）等により構成されており、送信データを一時的に記憶する送信用レジスタ６１と、受信データを一時的に記憶する受信用レジスタ６２とを備える。送信用レジスタ６１と受信用レジスタ６２とは、並列して読み書きが可能である。
【００３２】
また、第１制御部６０は、データ処理部６３を備えており、主に通話等の通信に係る信号の処理を行う。すなわち、データ処理部６３は、送信用レジスタ６１に記憶されている送信データを、通信部３０を介して基地局等の外部装置に送信する。また、第１制御部６０は、通信部３０により受信した信号を、受信用レジスタ６２に記憶させる。本実施形態に係るデータ処理部６３の詳細な処理については後述する。
【００３３】
第２制御部７０は、第１制御部６０に比べて動作周波数が高いＣＰＵ等により構成されており、アプリケーション等の制御等を行い、携帯電話装置１の全体を制御する。また、第２制御部７０は、処理が遅延しない第１モードと、第１モードに比べて消費する電力が少なく、処理に対して所定周期の半分以下（２．５ｓｅｃ以下）の遅延時間が発生する第２モードとを有する。
【００３４】
また、第２制御部７０は、アプリケーション処理部７１と、送信処理部７２と、受信処理部７３とを有する。アプリケーション処理部７１は、記憶部５０に記憶されている基地局との通信と並行して実行可能なアプリケーション（以下、基地局との通信と並行して実行可能なアプリケーションを単にアプリケーションという）を制御する。送信処理部７２は、記憶部５０に記憶されている送信データを送信用レジスタ６１に記憶させる処理である送信側処理を行う。受信処理部７３は、通信部３０により次回受信される受信データを受信するための準備を行う処理である受信側処理を行う。
本実施形態に係る第２制御部７０の詳細な処理については後述する。
【００３５】
本実施形態に係る携帯電話装置１において、第１制御部６０及び第２制御部７０は、非待受時に対応する通信状態（非待受状態）において消費電力を削減するため機能を有する。以下に、第１制御部６０及び第２制御部７０の詳細について説明する。
【００３６】
まず、非待受状態について説明する。携帯電話装置１の通信状態には、待受状態と、非待受状態とがある。
【００３７】
待受状態は、通信部３０が、通話やメール等のデータの通信を基地局等と行わずに、所定周期よりも長い間隔（例えば、１．２ｓｅｃ）で基地局等から間欠信号を受信している通信状態である。
【００３８】
また、非待受状態は、通信部３０が待受処理に係る通信と異なる通信を基地局等と行っている通信状態である。すなわち、非待受状態は、携帯電話装置１が、通信部３０により、基地局等と、通話やメール等のユーザに直接関係するデータを、受信スロット及び送信スロットにおいて所定周期で送受信している通信状態である。
【００３９】
第１制御部６０のデータ処理部６３は、１つの受信スロットにおいて通信部３０より基地局Ａから所定周期で受信される受信データを受信用レジスタ６２に記憶させる。また、第１制御部６０のデータ処理部６３は、通信部３０を介して、送信用レジスタ６１に記憶されている送信データを、１つの送信スロットによって基地局Ａに所定周期で送信する。
一方、第２制御部７０は、送信処理部７２による送信側処理を第２モードで実行する。
【００４０】
具体的には、第２制御部７０の送信処理部７２は、アプリケーションが動作していない場合には、通信部３０により、送信用レジスタ６１に記憶されている送信データが送信されたことに応じて、送信側処理を第２モードで実行する。
また、第２制御部７０の受信処理部７３は、アプリケーションが動作していない場合には、第１制御部６０のデータ処理部６３により、受信用レジスタ６２に受信データが記憶されたことに応じて、受信側処理を第２モードで実行する。
【００４１】
また、第２制御部７０の送信処理部７２は、アプリケーションが動作している場合には、通信部３０により送信用レジスタ６１に記憶されている送信データが送信されたことに応じて、送信側処理を第１モードで実行する。
また、第２制御部７０の受信処理部７３は、アプリケーションが動作している場合には、第１制御部６０のデータ処理部６３により、受信用レジスタ６２に受信データが記憶されたことに応じて、受信側処理を第１モードで実行する。
【００４２】
なお、アプリケーションが動作していない場合とは、基地局との通信と並行して実行可能なアプリケーションが動作していない場合をいう。すなわち、アプリケーションが動作していない場合とは、携帯電話装置１が、通話やメール送受信のみ行っている場合、すなわち、送信用レジスタ６１及び受信用レジスタ６２を使用したデータの送受信を行わないアプリケーションが動作していない場合をいう。
【００４３】
また、アプリケーションが動作している場合とは、基地局との通信と並行して実行可能なアプリケーションが動作している場合をいう。すなわち、アプリケーションが動作している場合とは、上述の送信用レジスタ６１及び受信用レジスタ６２を使用したデータの送受信を行わないアプリケーションが動作している場合（例えば、通話時間のカウント表示やキャッチホンやＬＣＤ表示部２１の表示に係るアプリケーションが動作している場合）をいう。
【００４４】
図４を参照して、通信部３０により送信用レジスタ６１に記憶されている送信データが送信されたことに応じて、第２モードで送信側処理が実行される場合について説明する。図４は、本実施形態に係る携帯電話装置１において、第２モードで送信側処理及び受信側処理を実行する場合の一例を示す模式図である。なお、図４に示される処理では、アプリケーションが動作していないものとする。また、図４に示される処理では、チャネルＣ２を用いて通信が行われるものとする。
【００４５】
図４において、時刻ｔ１において、送信用レジスタ６１に記憶されている送信データＴ１が第１制御部６０のデータ処理部６３により通信部３０を介して基地局Ａに送信されると、第２制御部７０の送信処理部７２は、第２モードで送信側処理ＰＴ１を実行する。第２モードでは、処理に対して所定周期（５ｍｓｅｃ）の半分以下の遅延時間が発生するので、送信側処理ＰＴ１は、時刻ｔ１から２．５ｍｓｅｃ経過していない時刻ｔ２において開始される。
【００４６】
続いて、時刻ｔ３において、第１制御部６０のデータ処理部６３により、受信用レジスタ６２に受信データＲ１が記憶されると、第２制御部７０の受信処理部７３は、第２モードで受信側処理ＰＲ１を実行する。第２モードでは、処理に対して所定周期（５ｍｓｅｃ）の半分以下の遅延時間が発生するので、受信側処理ＰＲ１は、時刻ｔ３から２．５ｍｓｅｃ経過していない時刻ｔ４において開始される。
【００４７】
同様に、送信側処理ＰＴ２は、時刻ｔ５において第２モードで実行されたことに応じて、時刻ｔ６において開始され、受信側処理ＰＲ２は、時刻ｔ７において第２モードで実行されたことに応じて、時刻ｔ８において開始される。
【００４８】
このように、携帯電話装置１は、送信側処理を第２モードで実行する。第２モードでは、処理に対して所定周期（５ｍｓｅｃ）の半分以下の遅延時間が発生するものの、次に送信用レジスタ６１から送信用データが送信される前に、送信用レジスタ６１に送信用データが記憶される。また、第２モードでは、次に受信したデータが受信用レジスタ６２に記憶される前に、受信データの準備処理が行われる。また、第２モードは、第１モードに比べて消費電力が小さいので、携帯電話装置１は、非待受時に対応する通信状態において、送信用データを遅延することなく送信しつつ、消費電力を削減することができる。
【００４９】
また、第２制御部７０の送信処理部７２は、アプリケーションが動作していない場合には、第１制御部６０のデータ処理部６３により、受信用レジスタ６２に受信データが記憶されたことに応じて、送信側処理を第２モードで実行することが好ましい。
【００５０】
図５を参照して、受信用レジスタ６２に受信データが記憶されたことに応じて、送信側処理を第２モードで実行する場合について説明する。図５は、本実施形態に係る携帯電話装置１において、第２モードで送信側処理及び受信側処理を実行する場合の別例を示す模式図である。なお、図５に示される処理では、アプリケーションが動作していないものとする。また、図５に示される処理では、チャネルＣ２を用いて通信が行われるものとする。
【００５１】
図５において、時刻ｔ１１において、送信用レジスタ６１に記憶されている送信データＴ１が、第１制御部６０のデータ処理部６３により通信部３０を介して基地局Ａに送信されるが、第２制御部７０は、送信側処理を実行しない。
【００５２】
続いて、時刻ｔ１２において、第１制御部６０のデータ処理部６３により受信用レジスタ６２に受信データＲ１が記憶されたことに応じて、第２制御部７０の送信処理部７２は、第２モードで送信側処理ＰＴ１１を実行する。また、第１制御部６０のデータ処理部６３により受信用レジスタ６２に受信データＲ１が記憶されたことに応じて、第２制御部７０の受信処理部７３は、第２モードで受信側処理ＰＲ１１を実行する。すると、時刻ｔ１２から所定周期の半分以下の遅延時間の経過した時刻ｔ１３において、送信側処理ＰＴ１１が開始される。続いて、時刻ｔ１４において、送信側処理ＰＴ１１が終了したことに応じて、受信側処理ＲＴ１１が開始される。
【００５３】
同様に、送信側処理ＰＴ１２は、時刻ｔ１６において第２モードで実行され、遅延時間の経過後の時刻ｔ１７において開始される。また、受信側処理ＰＲ１２は、時刻ｔ１６において第２モードで実行され、時刻ｔ１８において、送信側処理ＰＴ１２が終了したことに応じて開始される。
【００５４】
このように、携帯電話装置１は、アプリケーションが動作していない場合、受信用レジスタ６２に受信データが記憶されたことに応じて、送信側処理及び受信側処理を第２モードで実行する。よって、第２制御部７０を構成するＣＰＵが駆動を開始する回数と、駆動を終了する回数とが減少する。したがって、携帯電話装置１は、ＣＰＵの立ち上がりと立ち下がりの回数を減少することができるので、消費電力を削減することができる。
【００５５】
また、第２制御部７０の送信処理部７２は、アプリケーションが動作していない場合に、通信部３０により次回に送信される送信データが有意なデータであるときには、通信部３０により送信用レジスタ６１に記憶されている送信データが送信されたことに応じて、送信側処理を第２モードで実行することが好ましい。
【００５６】
図６を参照して、送信側処理が行われるタイミングを、送信された送信データの種類と、次回に送信される送信データの種類に基づいて切り換える場合について説明する。図６は、本実施形態に係る携帯電話装置１において、第２モードで送信側処理及び受信側処理を実行する場合の別例を示す模式図である。なお、図６に示される処理では、アプリケーションが動作していないものとする。また、図６に示される処理では、チャネルＣ２を用いて通信が行われるものとする。
【００５７】
図６において、時刻ｔ２１において、送信用レジスタ６１に記憶されている送信データＴ１が、第１制御部６０のデータ処理部６３により通信部３０を介して基地局Ａに送信されるが、第２制御部７０は、送信側処理を実行しない。
【００５８】
続いて、時刻ｔ２２において、第１制御部６０のデータ処理部６３により受信用レジスタ６２に受信データＲ１が記憶されたことに応じて、第２制御部７０の送信処理部７２は、第２モードで送信側処理ＰＴ２１を実行する。また、第１制御部６０のデータ処理部６３により受信用レジスタ６２に受信データＲ１が記憶されたことに応じて、第２制御部７０の受信処理部７３は、第２モードで受信側処理ＰＲ２１を実行する。すると、時刻ｔ２２から所定周期の半分以下の遅延時間の経過した時刻ｔ２３において、送信側処理ＰＴ２１が開始される。続いて、時刻ｔ２４において、送信側処理ＰＴ１１が終了したことに応じて、受信側処理ＲＴ１１が開始される。
【００５９】
続いて、時刻ｔ２５において、通信部３０により送信用レジスタ６１に記憶されている送信データが送信されたことに応じて、第２制御部７０は、通信部３０により送信された送信データＴ２の種類と、通信部３０により次回に送信される送信データＴ３の種類とが異なるか否かを判定する。具体的には、送信データＴ２がアイドルデータで、送信データＴ３が有意なデータであるとする。ここでは、送信データＴ２の種類と送信データＴ３の種類とが異なるものする。第２制御部７０は、送信データＴ２の種類と送信データＴ３の種類とが異なるものと判定し、時刻ｔ２５において、第２モードで送信側処理ＰＴ２２を実行する。すると、時刻ｔ２５から所定周期の半分以下の遅延時間の経過した時刻ｔ２６において、送信側処理ＰＴ２２が開始される。
【００６０】
続いて、時刻ｔ２７において、第１制御部６０のデータ処理部６３により受信用レジスタ６２に受信データＲ２が記憶されたことに応じて、第２制御部７０の受信処理部７３は、第２モードで受信側処理ＰＲ２２を実行する。すると、時刻ｔ２７から所定周期の半分以下の遅延時間の経過した時刻ｔ２８において、受信側処理ＰＲ２２が開始される。
【００６１】
続いて、時刻ｔ２９において、通信部３０により送信用レジスタ６１に記憶されている送信データが送信されたことに応じて、第２制御部７０は、通信部３０により送信された送信データＴ３の種類と、通信部３０により次回に送信される送信データＴ４の種類とが異なるか否かを判定する。ここでは、送信データＴ３の種類と送信データＴ４の種類とが異なるものする。第２制御部７０は、送信データＴ３の種類と送信データＴ４の種類とが異なるものと判定し、時刻ｔ２９において、第２モードで送信側処理ＰＴ２３を実行する。その後、時刻ｔ２９から所定周期の半分以下の遅延時間の経過した時刻ｔ３０において、送信側処理ＰＴ２３が開始される。
【００６２】
このように、携帯電話装置１は、アプリケーションが動作していない場合、通信部３０により次回に送信される送信データが有意なデータであるときには、送信用レジスタ６１に記憶されている送信データが送信されたことに応じて、送信側処理を第２モードで実行する。この場合、送信側処理と、送信データの送信のタイミングが異なるので、携帯電話装置１は、送信側処理及び送信データの送信の処理が競合することがなく、送信データを確実に送信することができる。
【００６３】
また、第２制御部７０の送信処理部７２は、アプリケーションが動作していない場合に、通信部３０により送信された送信データと、通信部３０により次回に送信される送信データとがアイドルデータである場合に、送信側処理を実行しないことが好ましい。
アイドルデータの場合、通信部３０により送信された送信データと、通信部３０により次回に送信される送信データの内容は変化しない。よって、携帯電話装置１は、送信側処理を実行しない場合でも、アイドルデータを確実に送信しつつ、第２制御部７０における処理の実行を省略して、消費電力を更に削減することができる。
【００６４】
以上、本実施形態によれば、携帯電話装置１は、送信側処理を第２モードで実行する。第２モードでは、処理に対して所定周期の半分以下の遅延時間が発生するものの、次に送信用レジスタ６１から送信用データが送信される前に、送信用レジスタ６１に送信用データが記憶される。また、第２モードは、第１モードに比べて消費電力が小さいので、携帯電話装置１は、非待受時に対応する通信状態において、送信用データを遅延することなく送信しつつ、消費電力を削減することができる。
【００６５】
以上、好適な実施形態について説明したが、本発明は前述した実施形態に限定されることなく種々の形態で実施することができる。また、前述の実施形態に記載された効果は、本発明から生じる最も好適な効果を列挙したに過ぎず、本発明による効果は、前述のものに限定されない。
【符号の説明】
【００６６】
１  携帯電話装置
３０  通信部
３１  メインアンテナ
５０  記憶部
６０  第１制御部
６１  送信用レジスタ
６２  受信用レジスタ
６３  データ処理部
７０  第２制御部
７２  送信処理部
７３  受信処理部
【図１】
2012095128.tif 000003
【図２】
2012095128.tif 000004
【図３】
2012095128.tif 000005
【図４】
2012095128.tif 000006
【図５】
2012095128.tif 000007
【図６】
2012095128.tif 000008